(57)【要約】【課題】  トイレットペーパーホルダの機能を何等損なうことなく、トイレ内のスペースを有効活用することができる容器支持具を提供する。【解決手段】  トイレットペーパーホルダと該トイレットペーパーホルダがネジ止めされる固定対象面との間に挟まれた状態で固定される容器支持具をトイレットペーパーホルダと固定対象面との間に挟み込まれる固定部と該固定部から延長されてトイレットペーパーホルダの側方に位置付けられる支持部とから構成し、当該固定部にトイレットペーパーホルダと固定対象面との間に挟み込まれた状態において該トイレットペーパーホルダを該固定対象面に固定するためのネジが通るように開スペースを形成する。【選択図】  図１
0003124660.tif 000002
【実用新案登録請求の範囲】
【請求項１】
トイレットペーパーホルダと該トイレットペーパーホルダがネジ止めされる固定対象面との間に挟まれた状態で固定される容器支持具であって、トイレットペーパーホルダと固定対象面との間に挟み込まれる固定部と該固定部から延長されてトイレットペーパーホルダの側方に位置付けられる支持部とから構成されており、当該固定部にはトイレットペーパーホルダと固定対象面との間に挟み込まれた状態において該トイレットペーパーホルダを該固定対象面に固定するためのネジが通るように開スペースが形成されていることを特徴とする容器支持具。
【請求項２】
支持部が固定部から延長されてトイレットペーパーホルダの一方側に位置付けられており、当該固定部には支持部が延長された側とは反対側の側辺から切り込まれてなる開スペースが形成されている請求項１記載の容器支持具。
【請求項３】
トイレットペーパーホルダを固定対象面に固定するためのネジが水平に並ぶように複数配置されており、少なくとも二つの水平に並ぶネジが通るように開スペースが形成されている請求項２記載の容器支持具。
【請求項４】
固定部から延長されてトイレットペーパーホルダの上方に位置付けられる表示部が設けられている請求項１乃至３のいずれかに記載の容器支持具。
【考案の詳細な説明】
【技術分野】
【０００１】
本考案は、除菌液等が収納された容器をトイレットペーパーホルダを利用して設置するための容器支持具に関するものである。
【背景技術】
【０００２】
周知の通り、和式便器のように脚を深く屈めることなく、便座に腰掛けた状態で使用できる洋式便器は、脚の不自由な人も楽な姿勢で使用できることから、誰もが住みやすい生活環境が求められる今日においては広く普及している。
【０００３】
ところが、洋式便器は和式便器と異なり、直接便座に腰掛ける必要があるため、不特定多数の人物が使用する公園、駅及び店舗などに設置されたトイレにおいては、見ず知らずの他人が腰掛けた便座に対して直接腰掛けることに不快感を抱く者もおり、また、衛生的にも問題があった。
【０００４】
このため、近年においては、トイレ内に便座を拭うために使用する除菌液やウエットティッシュなどの衛生具が設置されるようになってきたが、特に、店舗のトイレは、売り場のスペースをなるべく広く確保する必要があることから非常に狭くなっており、トイレ内に便器とトイレットペーパーホルダ以外のものを設置できるスペースが殆どないことが多い。
【０００５】
そこで、トイレ内の狭いスペースを有効活用して衛生具を効率よく設置するための支持具が多数開発されている。
【０００６】
例えば、後出特許文献１には、ウエットティッシュ収納用容器と、ウエットティッシュ収納用容器を保持するとともに、このウエットティッシュ収納用容器を室内固定部に取付けるための取付ホルダと、を備えたことを特徴とするウエットティッシュ収納用容器と取付ホルダとの組合体が開示されており、その実施の態様として、取付ホルダをトイレ内壁に直接ネジ止めする態様（以下、「第一従来態様」という）や該取付ホルダをトイレ内壁に両面テープで接着する態様（以下、「第二従来態様」という）が開示されていると共に、トイレットペーパーホルダにおけるトイレ内壁に固定される本体と該本体に回動可能に取り付けられる蓋体との間に形成される隙間に取付ホルダを差し込む態様（以下、「第三従来態様」という）などが開示されている。
【特許文献１】特開２００１−１４５５８３
【考案の開示】
【考案が解決しようとする課題】
【０００７】
しかし、前記第一従来態様においては、取付ホルダを固定する際にトイレ内壁に新たなネジ穴が開いてしまうという問題点があり、前記第二従来態様においては、一旦接着すると容易に取り外すことができないという問題点があった。また、前記第三従来態様においては、トイレットペーパーを補充する際に、一旦取付ホルダをウエットティッシュ収容用容器ごとトイレットペーパーホルダから取り外す必要があり、さらに、取付ホルダをトイレットペーパーホルダから引き抜くことによって容易に取り外すことができるために、持ち去れてしまう可能性が高いという問題点があった。
【０００８】
そこで、本考案は、トイレットペーパーホルダの機能を何等損なうことなく、前記諸問題点が解決でき、しかも、トイレ内のスペースを有効活用することができる容器支持具を提供することを技術的課題として、その具現化をはかるべく、試作・実験を繰り返した結果、当該技術的課題を達成したものである。
【課題を解決するための手段】
【０００９】
前記技術的課題は、次の通りの本考案によって解決できる。
【００１０】
即ち、本考案に係る容器支持具は、トイレットペーパーホルダと該トイレットペーパーホルダがネジ止めされる固定対象面との間に挟まれた状態で固定される容器支持具であって、トイレットペーパーホルダと固定対象面との間に挟み込まれる固定部と該固定部から延長されてトイレットペーパーホルダの側方に位置付けられる支持部とから構成されており、当該固定部にはトイレットペーパーホルダと固定対象面との間に挟み込まれた状態において該トイレットペーパーホルダを該固定対象面に固定するためのネジが通るように開スペースが形成されているものである。
【００１１】
また、本考案は、前記容器支持具において、支持部が固定部から延長されてトイレットペーパーホルダの一方側に位置付けられており、当該固定部には支持部が延長された側とは反対側の側辺から切り込まれてなる開スペースが形成されているものである。
【００１２】
また、本考案は、前記容器支持具において、トイレットペーパーホルダを固定対象面に固定するためのネジが水平に並ぶように複数配置されており、少なくとも二つの水平に並ぶネジが通るように開スペースが形成されているものである。
【００１３】
また、本考案は、前記いずれかの容器支持具において、固定部から延長されてトイレットペーパーホルダの上方に位置付けられる表示部が設けられているものである。
【００１４】
なお、本考案の実施に当たっては、前記開スペースの切込口に上下いずれかの辺から伸びる掛止片を形成することができる。
【考案の効果】
【００１５】
本考案によれば、トイレ内の狭いスペースを有効活用して衛生具を効率よく設置できることは勿論、トイレットペーパーホルダを固定対象面に固定するために使用されるネジを利用して容器支持具を固定するため、トイレ壁面に新たにネジ孔を開ける必要がなく、また、容器支持具における容器を支持する支持部をトイレットペーパーホルダの側方に位置付けたので、トイレットペーパーホルダの蓋体の回動を阻害することなく、トイレットペーパーホルダに対するトイレットペーパーの補充を容易に行うことができる。
【００１６】
従って、本考案の産業上利用性は非常に高いといえる。
【考案を実施するための最良の形態】
【００１７】
以下、本考案の実施の形態を図面に基づき説明する。
【００１８】
実施の形態１．
【００１９】
図１は本実施の形態に係る容器支持具によってトイレットペーパーホルダを利用して容器を設置した状態を示す斜視図である。図２は本実施の形態に係る容器支持具によってトイレットペーパーホルダを使用して容器を設置した状態を示す正面図であり、トイレットペーパーホルダからはトイレットペーパーが取り外されている。図３は図２におけるＡ−Ａ断面図である。図４は容器支持具と容器との固定方法を示す部分断面図である。これらの図において、１は、トイレットペーパーホルダ２を利用して衛生用具等が収納された容器３をトイレ内に設置するための容器支持具である。
【００２０】
トイレットペーパーホルダ２は、固定対象面４に固定される本体５と、本体５に対してトイレットペーパー６を固定するための軸体７と、本体５に固定されたトイレットペーパー６を上方から押さえ付けるための蓋体８とから構成されている。そして、本体５は、図２及び図３に示すように、固定対象面４にネジ９によって固定される固定板１０と、固定板１０の左右両端から前方へと突出する一対の腕板１１，１１とから構成されている。そして、軸体７は、一対の腕板１１，１１の先端部に水平に架け渡されており、蓋体８は、一対の腕体１１，１１の元端部に回転可能に軸止めされている。なお、固定板９には、トイレットペーパーホルダ２を固定対象面４に固定する際にネジ９を通すためのネジ孔１２，１２，１３が形成されており、固定板９の左右上部に形成されたネジ孔１２，１２と中央下部に形成されたネジ孔１３とからなっている。
【００２１】
容器３は、図１に示すように、内部に詰め替え可能な除菌液の充填された缶（図示せず）が収納されており、正面下部に設けられたスイッチ１４を押すことによって、底面に設けられた開口より除菌液が噴出する仕組みになっている。
【００２２】
容器支持具１は、図２及び図３に示すように、トイレットペーパーホルダ２と固定対象面４との間に挟み込まれる固定部１５と、固定部１５から延長されてトイレットペーパーホルダ２の側方に位置付けられる支持部１６と、固定部１５から延長されてトイレットペーパーホルダ２の上方に位置付けられる表示部１７とから構成されている。固定部１５には、トイレットペーパーホルダ２と固定対象面４との間に挟み込まれた際にトイレットペーパーホルダ２における固定板１０の左右上部に形成されたネジ孔１２，１２と重なり合う位置に開スペース１８が形成されている。そして、開スペース１８は、固定部１５を支持部１６が延長された側とは反対側の側辺から水平方向に切り込むことによって形成されており、トイレットペーパーホルダ２における固定板９の左右上部に設けられた二つのネジ孔１２，１２の間隔よりも長くなっている。
【００２３】
次に、本考案に係る容器支持具１の取付方法について説明する。
【００２４】
先ず、トイレットペーパーホルダ２を固定対象面４に固定している各ネジ９を緩め、トイレットペーパーホルダ２と固定対象面４との間に容器支持具１の厚みよりも厚い隙間を形成する。次に、トイレットペーパーホルダ２と固定対象面４との間に形成された隙間に容器支持具１の固定部１５を差し込む。この時、容器支持具１の固定部１５に形成された開スペース１８内にトイレットペーパーホルダ２の固定板１０の左右上方に形成されたネジ孔１２，１２へ差し込まれたネジ９が嵌り込むように調整する。次に、トイレットペーパーホルダ２を固定対象面４に固定するためのネジ９を締め付けることによってトイレットペーパーホルダ２と固定対象面４との間に容器支持具１の固定部１５が締め付けられた状態となる。そして、容器支持具１の支持部１６に両面テープ１９（図３参照）を貼り付けて容器３を粘着固定する。なお、表示部１７には、容器３の使用方法や広告宣伝などの各種情報が記載されたステッカー等を貼り付けることができる。
【００２５】
なお、容器３としては、除菌液が充填された缶を収納されたものに限らず、例えば、便座を拭うためのウエットティッシュや便座に被覆させるシートなどが折り畳んで収納されたものなどでもよく、容器の内部に収納されているものは特に限定されない。
【００２６】
また、本実施の形態においては、容器支持具１に表示部１８を設けたが、表示部１８は必要なければ設けなくてもよい。
【００２７】
さらに、本実施の形態においては、容器支持具１に対して容器３を両面テープ１９にて固定したが、例えば、図４に示すように、容器支持具１にフック２０を設けると共に、容器３の背面にフック受け孔２１を設けることにより、容器支持具１に対して容器３を着脱自在に固定することもできる。
【００２８】
なお、前記トイレットペーパーホルダにおける固定板に設けられたネジ孔の位置は、現在使用されている一般的なトイレットペーパーホルダの態様であり、ネジ孔の位置が異なる場合には、ネジ孔の位置に合わせて容器支持具の開スペースを形成すればよい。
【００２９】
実施の形態２
【００３０】
本実施の形態は前記実施の形態１の容器支持具における固定部の変形例である。図５は本実施の形態に係る容器支持具の一実施例を示す部分正面図である。図６は本実施の形態に係る容器支持具の他の実施例を示す部分正面図である。これらの図において、図１〜図３と同一又は相当部分を示している。
【００３１】
実施例１：本実施例に係る容器支持具１の固定部１５は、図５に示すように、前記実施の形態１と同様に固定部１５の支持部１６が延長された側とは反対側の側辺から固定板１０の左右上部に設けられた二つのネジ孔１２，１２の間隔よりも長く切り込まれた開スペース１８が形成されており、開スペース１８の切込口２２に上辺から下方へと突出した掛止片２３が形成されている。
【００３２】
本実施例によれば、開スペース１８の切込口２２に掛止片２３を形成したので、容器３を操作した際に容器支持具１に対して水平方向の力が働いたとしても掛止片２３がネジ９に引っ掛かってトイレットペーパーホルダ２から外れてしまうことがない。
【００３３】
実施例２：本実施例に係る容器支持具１の固定部１５は、図６に示すように、トイレットペーパーホルダ２と固定対象面４との間に挟み込まれた際にトイレットペーパーホルダ２における固定板１０の左右上部に形成されたネジ孔１２，１２と重なり合う位置に円形状の開スペース２３，２３が形成されている。
【００３４】
本実施例においても前記実施例１と同様の作用効果を得ることができる。
【図面の簡単な説明】
【００３５】
【図１】実施の形態１に係る容器支持具によってトイレットペーパーホルダを利用して容器を設置した状態を示す斜視図である。
【図２】実施の形態１に係る容器支持具によってトイレットペーパーホルダを使用して容器を設置した状態を示す正面図である。
【図３】図２におけるＡ−Ａ断面図である。
【図４】容器支持具と容器との固定方法を示す部分断面図である。
【図５】実施の形態２に係る容器支持具の一実施例を示す部分正面図である。
【図６】実施の形態２に係る容器支持具の他の実施例を示す部分正面図である。
【符号の説明】
【００３６】
１  容器支持具
２  トイレットペーパーホルダ
３  容器
４  固定対象面
５  本体
６  トイレットペーパー
７  軸体
８  蓋体
９  ネジ
１０  固定板
１１  腕板
１２  ネジ孔
１３  ネジ孔
１４  スイッチ
１５  固定部
１６  支持部
１７  表示部
１８  開スペース
１９  両面テープ
２０  フック
２１  フック受け孔
２２  切込口
２３  掛止片
２３  開スペース
【図１】
0003124660.tif 000003
【図２】
0003124660.tif 000004
【図４】
0003124660.tif 000005
【図５】
0003124660.tif 000006
【図６】
0003124660.tif 000007
【図３】
0003124660.tif 000008